(57)【要約】    【課題】モニタ付親機に縦接続させた複数のモニタ付増設親機にそれぞれ出画されるカメラ付子機にて撮像された映像を、良好な映像で確保する。    【解決手段】カメラ付子機１にて撮像された映像をモニタ付親機２とともに出画する複数のモニタ付増設親機３ａ、３ｂを当該モニタ付親機に順次縦接続し、各モニタ付増設親機にそれぞれ備えられたフォトカプラ３６０ａ、３６１ａ、３６０ｂ、３６１ｂから構成される終端検出回路３６ａにて自増設親機の後段側に当該モニタ付増設親機が接続されているか否かを検出させ、接続が検出された場合には終端スイッチ回路３７ａ、３７ｂをオフとする、一方、接続が検出されなかった場合には終端スイッチ回路がオンとなるような終端設定を自動で行う。    【選択図】図２
2005217723.tif 000002
【特許請求の範囲】
【請求項１】
カメラ付子機（１）をモニタ付親機（２）に接続し、
前記モニタ付親機に複数のモニタ付増設親機（３ａ、３ｂ）を２線で順次縦接続し、
各モニタ付増設親機は、その後段側にモニタ付増設親機が接続されているか否かを検出する終端検出回路（３６ａ、３６ｂ）と、前記後段側にモニタ付増設親機が接続されているときにはオフされ、接続されていないときにはオンされる終端スイッチ回路（３７ａ、３７ｂ）とを備えたことを特徴とするテレビインターホン装置。
【請求項２】
前記終端検出回路としてフォトカプラ（３６０ａ、３６１ａ、３６０ｂ、３６１ｂ）を用いたことを特徴とする請求項１記載のテレビインターホン装置。
【請求項３】
前記終端スイッチ回路は、前記フォトカプラのオン／オフでオフ／オンされることを特徴とする請求項２記載のテレビインターホン装置。
【発明の詳細な説明】
【技術分野】
【０００１】
本発明はテレビインターホン装置に係り、特に、カメラ付子機にて撮像された映像をモニタ付親機とともに出画する複数のモニタ付増設親機のうち、最後段の当該モニタ付増設親機を自動で終端設定できるテレビインターホン装置に関する。
【背景技術】
【０００２】
従来から、この種のテレビインターホン装置として、図３のシステム説明図に示す構成のテレビインターホン装置が提案されている。
【０００３】
図３のシステム説明図に示すテレビインターホン装置において、カメラ５１０を有するカメラ付子機５０１には、２線にて構成される親機ラインＬ501を介してモニタ５２０を有するモニタ付親機５０２が接続されており、このモニタ付親機５０２には、２線にて構成される当該増設親機ラインを順次介して当該モニタを有する複数のモニタ付増設親機、ここでは、２線にて構成される増設親機ラインＬ502a、Ｌ502bを順次介してモニタ５３０ａ、５３０ｂをそれぞれ有する２台のモニタ付増設親機５０３ａ、５０３ｂが縦接続されている。
【０００４】
また、図３のシステム説明図において、各モニタ付増設親機５０３ａ、５０３ｂは、それぞれ映像伝送系の構成を示している。
【０００５】
ここで、モニタ付増設親機５０３ａは、カメラ付子機５０１のカメラ５１０にて撮像された映像を出画するためのモニタ５３０ａと、自増設親機が有する第１、第２の各前段側ライン端子Ｔ501a、Ｔ502aおよび第１、第２の各後段側ライン端子Ｔ503b、Ｔ504aをそれぞれ接続する２線の間に並列接続され、カメラ付子機５０１から２線にて構成される親機ラインＬ501、モニタ付親機５０２、２線にて構成される増設親機ラインＬ502a、第１、第２の各前段側ライン端子Ｔ501a、Ｔ502aを順次介して伝送されてくるＦＭ映像信号をＦＭ復調させてモニタ５３０ａへ出力するための映像復調回路５３１ａと、自増設親機の後段側に当該モニタ付増設親機が接続されている場合には手動でオフされる、一方、接続されていない場合には終端設定を行うために手動でオンされるスイッチ６００ａおよび当該スイッチに直列接続された抵抗（終端抵抗）６０１ａを有する終端スイッチ回路５３２ａとを備えており、終端スイッチ回路５３２ａを構成する直列接続されたスイッチ６００ａおよび抵抗（終端抵抗）６０１ａは、第１、第２の各前段側ライン端子Ｔ501a、Ｔ502aおよび第１、第２の各後段側ライン端子Ｔ503a、Ｔ504aをそれぞれ接続する２線の間に並列接続されている。
【０００６】
モニタ付増設親機５０３ｂは、カメラ付子機５０１のカメラ５１０にて撮像された映像を出画するためのモニタ５３０ｂと、自増設親機が有する第１、第２の各前段側ライン端子Ｔ501b、Ｔ502bおよび第１、第２の各後段側ライン端子Ｔ503b、Ｔ504bをそれぞれ接続する２線の間に並列接続され、カメラ付子機５０１から２線にて構成される親機ラインＬ501、モニタ付親機５０２、２線にて構成される増設親機ラインＬ502a、モニタ付増設親機５０３ａが有する第１、第２の各前段側ライン端子Ｔ501a、Ｔ502a、第１、第２の各後段側ライン端子Ｔ503a、Ｔ504a、増設親機ラインＬ502b、第１、第２の各前段側ライン端子Ｔ501b、Ｔ502bを順次介して伝送されてくるＦＭ映像信号をＦＭ復調させてモニタ５３０ｂへ出力するための映像復調回路５３１ｂと、自増設親機の後段側に当該モニタ付増設親機が接続されている場合には手動でオフされる、一方、接続されていない場合には終端設定を行うために手動でオンされるスイッチ６００ｂおよび当該スイッチに直列接続された抵抗（終端抵抗）６０１ｂを有する終端スイッチ回路５３２ｂとを備えており、終端スイッチ回路５３２ｂを構成する直列接続されたスイッチ６００ｂおよび抵抗（終端抵抗）６０１ｂは、第１、第２の各前段側ライン端子Ｔ501b、Ｔ502bおよび第１、第２の各後段側ライン端子Ｔ503b、Ｔ504bをそれぞれ接続する２線の間に並列接続されている。
【０００７】
このように構成された従来例のテレビインターホン装置において、カメラ付子機５０１のカメラ５１０にて撮像された映像は、ＦＭ変調されたＦＭ映像信号として２線にて構成される親機ラインＬ501を介してモニタ付親機５０２へと伝送されるとともに、当該モニタ付親機、２線にて構成される増設親機ラインＬ502a、モニタ付増設親機５０３ａが有する第１、第２の各前段側ライン端子Ｔ501a、Ｔ502aを順次介して映像復調回路５３１ａと、上述の第１、第２の各前段側ライン端子Ｔ501a、Ｔ502aから第１、第２の各後段側ライン端子Ｔ503a、Ｔ504a、２線にて構成される増設親機ラインＬ502b、モニタ付増設親機５０３ｂが有する第１、第２の各前段側ライン端子Ｔ501b、Ｔ502bを順次介して映像復調回路５３１ｂおよび第１、第２の各後段側ライン端子Ｔ503b、Ｔ504bへとそれぞれ伝送される。
【０００８】
また、モニタ付親機５０２は、カメラ付子機５０１から伝送されてきたＦＭ映像信号をＦＭ復調し、当該カメラ付子機のカメラ５１０にて撮像された映像をモニタ５２０に出画させることができる。
【０００９】
さらに、各モニタ付増設親機５０３ａ、５０３ｂにおいて、映像復調回路５３１ａ、５３１ｂは、それぞれカメラ付子機５０１から伝送されてきたＦＭ映像信号をＦＭ復調してモニタ５３０ａ、５３０ｂへと出力することにより、当該カメラ付子機のカメラ５１０にて撮像された映像をモニタ５３０ａ、５３０ｂに出画させることができる。
【００１０】
なお、従来例のテレビインターホン装置について、記載すべき先行技術の情報はない。
【発明の開示】
【発明が解決しようとする課題】
【００１１】
しかしながら、従来例のテレビインターホン装置において、カメラ付子機５０１のカメラ５１０にて撮像された映像を各モニタ付増設親機５０３ａ、５０３ｂのモニタ５３０ａ、５３０ｂにそれぞれ出画させるにあたり、最後段の当該モニタ付増設親機であるモニタ付増設親機５０３ｂは終端せねばならず、そのための終端設定として終端スイッチ回路５３２ｂを構成するスイッチ６００ｂを予め手動でオンする必要があり、この設定を忘れると、モニタ５３０ｂに出画される映像を良好な映像で確保できない、例えば、ノイズ成分が大きくなり視認性が低い映像となった。
【００１２】
本発明は、上述の難点を解消するためになされたもので、カメラ付子機にて撮像された映像をモニタ付親機とともに出画する複数のモニタ付増設親機にて、それぞれ自増設親機の後段側に当該モニタ付増設親機が接続されているか否かを検出して終端設定を自動で行うことにより、各モニタ付増設親機にそれぞれ出画される映像を良好な映像で確保できるテレビインターホン装置を提供することを目的としている。
【課題を解決するための手段】
【００１３】
上述の目的を達成するため、本発明のテレビインターホン装置は、カメラ付子機をモニタ付親機に接続し、モニタ付親機に複数のモニタ付増設親機を２線で順次縦接続し、各モニタ付増設親機は、その後段側にモニタ付増設親機が接続されているか否かを検出する終端検出回路と、後段側にモニタ付増設親機が接続されているときにはオフされ、接続されていないときにはオンされる終端スイッチ回路とを備えている。
【００１４】
また、本発明のテレビインターホン装置は、終端検出回路としてフォトカプラを用いたものである。
【００１５】
また、本発明のテレビインターホン装置において、終端スイッチ回路は、フォトカプラのオン／オフでオフ／オンされる。
【発明の効果】
【００１６】
本発明のテレビインターホン装置によれば、カメラ付子機にて撮像された映像をモニタ付親機とともに出画する複数のモニタ付増設親機を当該モニタ付親機に順次縦接続し、各モニタ付増設親機にそれぞれ備えられたフォトカプラから構成される終端検出回路にて自増設親機の後段側に当該モニタ付増設親機が接続されているか否かを検出させ、接続が検出された場合には終端スイッチ回路をオフとする、一方、接続が検出されなかった場合には終端スイッチ回路がオンとなるような終端設定を自動で行うことにより、各モニタ付増設親機にそれぞれ出画される映像は良好な映像で確保できる、例えば、ノイズ成分の少ない視認性の高い映像で確保できる。
【発明を実施するための最良の形態】
【００１７】
以下、本発明のテレビインターホン装置を適用した最良の実施の形態例について、図面を参照して説明する。
【００１８】
図１は、本発明の実施例によるテレビインターホン装置の構成を示すシステム説明図である。
【００１９】
図１のシステム説明図に示すテレビインターホン装置は、住戸玄関に設置されており、来訪者が住戸内に在室中の居住者を呼び出して通話を成立させるための機能、呼出操作を行った来訪者の映像や住戸玄関の周囲近傍の映像を撮像するための機能を有するカメラ付子機１と、住戸内に設置され２線にて構成される親機ラインＬ1を介してカメラ付子機１が接続されており、来訪者によるカメラ付子機１からの呼び出しがあることを報知するための機能、カメラ付子機１にて撮像された映像を出画するための機能、居住者が応答して来訪者との間で通話を成立させるための機能を有するモニタ付親機２と、モニタ付親機２の設置場所とは異なる住戸内の場所にそれぞれ設置され当該モニタ付親機に２線にて構成される当該増設親機ラインを順次介して縦接続されており、来訪者によるカメラ付子機１からの呼び出しがあることを報知するための機能、カメラ付子機１にて撮像された映像を出画するための機能、居住者が応答して来訪者との間で通話を成立させるための機能を有する複数のモニタ付増設親機、ここでは、モニタ付親機２に２線にて構成される増設親機ラインＬ2a、Ｌ2bを順次介して縦接続された２台のモニタ付増設親機３ａ、３ｂとから構成されている。
【００２０】
カメラ付子機１は、来訪者が居住者を呼び出すために操作する呼出ボタン１０と、呼出操作を行った来訪者の映像や住戸玄関の周囲近傍の映像を撮像するためのカメラ１１と、来訪者が居住者との間で通話を成立させるための音声を送受信するマイク１２およびスピーカ１３とを有している。
【００２１】
モニタ付親機２は、来訪者によるカメラ付子機１からの呼び出しがある旨の呼出音（音声メッセージを含む）や居住者が来訪者との間で拡声通話を成立させるにあたり当該来訪者の受話音声が放音／出力されるスピーカ２０と、カメラ付子機１のカメラ１１にて撮像された映像を出画するためのモニタ２１と、居住者が来訪者との間で拡声通話を成立させるためにスピーカ２０とともに使用し、当該居住者の送話音声が入力されるマイク２２と、居住者が来訪者との間で拡声通話を成立させるにあたり応答のために操作する通話ボタン２３と、居住者が来訪者との間でハンドセット通話を成立させるために使用するハンドセット２４とを有している。
【００２２】
各モニタ付増設親機３ａ、３ｂはそれぞれ同様な構成であり、来訪者によるカメラ付子機１からの呼び出しがある旨の呼出音（音声メッセージを含む）や居住者が来訪者との間で拡声通話を成立させるにあたり当該来訪者の受話音声が放音／出力されるスピーカ３０ａ、３０ｂと、カメラ付子機１のカメラ１１にて撮像された映像を出画するためのモニタ３１ａ、３１ｂと、居住者が来訪者との間で拡声通話を成立させるためにスピーカ３０ａ、３０ｂとともに使用し、当該居住者の送話音声が入力されるマイク３２ａ、３２ｂと、居住者が来訪者との間で拡声通話を成立させるにあたり応答のために操作する通話ボタン３３ａ、３３ｂと、居住者が来訪者との間でハンドセット通話を成立させるために使用するハンドセット３４ａ、３４ｂとを有している。
【００２３】
図２は、本発明の実施例によるテレビインターホン装置において、映像伝送系の具体的な構成を示す回路ブロック図である。なお、図２の回路ブロック図は、上述の映像伝送系以外の呼出伝送系、通話伝送系等の具体的な図示は省略している。
【００２４】
図２の回路ブロック図において、カメラ付子機１は、上述のカメラ１１と、カメラ１１にて撮像された映像をＦＭ映像信号にＦＭ変調して第１、第２の各ライン端子Ｔ11、Ｔ12へ出力するための映像変調回路１４とを備えており、各ライン端子Ｔ11、Ｔ12には、親機ラインＬ1を構成する２線がそれぞれ接続されている。
【００２５】
モニタ付親機２は、上述のモニタ２１と、カメラ付子機１の映像変調回路１４から出力され、第１、第２の各ライン端子Ｔ11、Ｔ12、２線にて構成される親機ラインＬ1、自親機が有する第１、第２の各子機側ライン端子Ｔ21、Ｔ22を順次介して伝送されてくるＦＭ映像信号をＦＭ復調させてモニタ２１へ出力するための映像復調回路２５と、第１、第２の各子機側ライン端子Ｔ21、Ｔ22および第１、第２の各増設親機側ライン端子Ｔ23、Ｔ24をそれぞれ接続する２線の間に並列接続されており、自親機、カメラ付子機１およびモニタ付増設親機３ａ、３ｂをぞれぞれ動作させるための電源を供給する電源回路２６および当該電源回路の（＋）端子に直列接続された抵抗（バイアス抵抗）２７とを備えている。
【００２６】
モニタ付増設親機３ａは、上述のモニタ３１ａと、カメラ付子機１の映像変調回路１４から出力され、第１、第２の各ライン端子Ｔ11、Ｔ12、２線にて構成される親機ラインＬ1、モニタ付親機２が有する第１、第２の各子機側ライン端子Ｔ21、Ｔ22、第１、第２の各増設親機側ライン端子Ｔ23、Ｔ24、２線にて構成される増設親機ラインＬ2a、自増設親機が有する第１、第２の各前段側ライン端子Ｔ31a、Ｔ32aを順次介して伝送されてくるＦＭ映像信号をＦＭ復調させてモニタ３１ａへ出力するための映像復調回路３５ａと、自増設親機の後段側に当該モニタ付増設親機が接続されているか否かを検出するための終端検出回路３６ａと、終端検出回路３６ａにて上述の接続が検出された場合にはオフされる、一方、接続が検出されなかった場合にはオンとなり終端設定を行うための終端スイッチ回路３７ａとを備えている。
【００２７】
モニタ付増設親機３ｂは、上述のモニタ３１ｂと、カメラ付子機１の映像変調回路１４から出力され、第１、第２の各ライン端子Ｔ11、Ｔ12、２線にて構成される親機ラインＬ1、モニタ付親機２が有する第１、第２の各子機側ライン端子Ｔ21、Ｔ22、第１、第２の各増設親機側ライン端子Ｔ23、Ｔ24、２線にて構成される増設親機ラインＬ2a、モニタ付増設親機３ａが有する第１、第２の各前段側ライン端子Ｔ31a、Ｔ32a、（終端検出回路３６ａ）、第１、第２の各後段側ライン端子Ｔ33a、Ｔ34a、２線にて構成される増設親機ラインＬ2b、自増設親機が有する第１、第２の各前段側ライン端子Ｔ31b、Ｔ32bを順次介して伝送されてくるＦＭ映像信号をＦＭ復調させてモニタ３１ｂへ出力するための映像復調回路３５ｂと、自増設親機の後段側に当該モニタ付増設親機が接続されているか否かを検出するための終端検出回路３６ｂと、終端検出回路３６ｂにて上述の接続が検出された場合にはオフされる、一方、接続が検出されなかった場合にはオンとなり終端設定を行うための終端スイッチ回路３７ｂとを備えている。
【００２８】
また、各モニタ付増設親機３ａ、３ｂにおいて、終端検出回路３６ａ、３６ｂはそれぞれ同様な構成であり、アノードが第１の前段側ライン端子Ｔ31a、Ｔ31bに接続され、カソードが第１の後段側ライン端子Ｔ33a、Ｔ33bに接続されたダイオード３６０ａ、３６０ｂと、コレクタが第１の前段側ライン端子Ｔ31a、Ｔ31bおよび第１の後段側ライン端子Ｔ33a、Ｔ33bを接続するライン上に接続され、エミッタが終端検出回路３７ａ、３７ｂを構成するリレー３７０ａ、３７０ｂ（後述する）の一端側に接続された（ＮＰＮ型）フォトトランジスタ３６１ａ、３６１ｂと、ダイオード３６０ａ、３６０ｂのアノード−カソードの間に並列接続されたコンデンサ３６２ａ、３６２ｂとを有しており、上述のダイオード３６０ａ、３６０ｂおよびフォトトランジスタ３６１ａ、３６１ｂにてフォトカプラがそれぞれ構成される。
【００２９】
さらに、各モニタ付増設親機３ａ、３ｂにおいて、終端スイッチ回路３７ａ、３７ｂはそれぞれ同様な構成であり、一端側が終端検出回路３６ａ、３６ｂを構成するフォトトランジスタ３６１ａ、３６１ｂのエミッタに接続され、他端側が第２の前段側ライン端子Ｔ32a、Ｔ32bおよび第２の後段側ライン端子Ｔ34a、Ｔ34bを接続するライン上に接続され、終端検出回路３６ａ、３６ｂのフォトカプラを構成するフォトトランジスタ３６１ａ、３６１ｂのコレクタ−エミッタ間が導通となる場合にのみ駆動されるリレー３７０ａ、３７０ｂと、第１、第２の各前段側ライン端子Ｔ31b、Ｔ32bおよび第１、第２の各後段側ライン端子Ｔ33b、Ｔ34bを接続する２線の間に並列接続されており、リレー３７０ａ、３７０ｂが駆動した場合にはオフされる、一方、当該リレーが駆動停止している場合にはオンとなるリレースイッチ３７１ａ、３７１ｂおよび当該リレースイッチに直列接続された抵抗（終端抵抗）３７２ａ、３７２ｂとを有している。
【００３０】
このように構成された本発明の実施例によるテレビインターホン装置において、以下、具体的な動作について説明する。
【００３１】
図１のシステム説明図に示すテレビインターホン装置を施工するような施工時等において、図２の回路ブロック図に示すモニタ付親機２の電源回路２６にて生成される直流電源、例えば、図示しない商用電源について整流／平滑させた直流電源は、電源回路２６の（＋）端子から抵抗（バイアス抵抗）２７を介して自親機を動作（待ち受け、呼び出し、出画、通話等）させるための電源、図中においてはモニタ２１および映像復調回路２５をそれぞれ動作させるための電源として供給されるとともに、電源回路２６の（＋）端子から抵抗（バイアス抵抗）２７、第１の子機側ライン端子Ｔ21、２線にて構成される親機ラインＬ1の一方、カメラ付子機１が有する第１のライン端子Ｔ11、第２のライン端子Ｔ12、２線にて構成される親機ラインＬ1の他方、第２の子機側ライン端子Ｔ22、当該電源回路の（−）端子までの閉回路を構成する電源ラインを介してカメラ付子機１を動作（待ち受け、呼び出し、撮像、通話等）させるための電源、図中においてはカメラ１１および映像変調回路１４をそれぞれ動作させるための電源として供給され、また、電源回路２６の（＋）端子から抵抗（バイアス抵抗）２７、第１の増設親機側ライン端子Ｔ23、２線にて構成される増設親機ラインＬ2aの一方、モニタ付増設親機３ａが有する第１の前段側ライン端子Ｔ31a、終端検出回路３６ａを構成するダイオード３６０ａ、第１の後段側ライン端子Ｔ33a、２線にて構成される増設親機ラインＬ2bの一方、モニタ付増設親機３ｂが有する第１の前段側ライン端子Ｔ31b、第２の前段側ライン端子Ｔ32b、２線にて構成される増設親機ラインＬ2bの他方、モニタ付増設親機３ａが有する第２の後段側ライン端子Ｔ34a、第２の前段側ライン端子Ｔ32a、２線にて構成される増設親機ラインＬ2aの他方、第２の増設親機側端子Ｔ24、当該電源回路の（−）端子までの閉回路を構成する電源ライン（以下、増設親機用電源ラインという。）を介して各モニタ付増設親機３ａ、３ｂをそれぞれ動作（待ち受け、呼び出し、出画、通話等）させるための電源、図中においては各モニタ３１ａ、３１ｂおよび映像復調回路３５ａ、３５ｂをそれぞれ動作させるための電源として供給される。
【００３２】
ここで、モニタ付増設親機３ａの終端検出回路３６ａとして、フォトカプラを構成するダイオード３６０ａは、上述のような増設親機用電源ラインが形成されると、アノード−カソードの間が導通して発光する。また、ダイオード３６０ａが発光すると、フォトカプラを構成するフォトトランジスタ３６１ａのコレクタ−エミッタの間が導通して当該フォトトランジスタはオンとなり、終端検出回路３６ａは自増設親機の後段側に当該モニタ付増設親機が接続されていると検出し、終端スイッチ回路３７ａを構成するリレー３７０ａが駆動してリレースイッチ３７１ａはオフとなることから、モニタ付増設親機３ａが終端設定されることはない。
【００３３】
一方、モニタ付増設親機３ｂの終端検出回路３６ｂとして、フォトカプラを構成するダイオード３６０ｂは、上述のような増設親機用電源ラインが形成された場合、モニタ付親機２の電源回路２６からの直流電源が第１の後段側ライン端子Ｔ33bへと印加されるような閉回路を構成する増設親機用電源ラインが形成されていないため、アノード−カソードの間が非導通となり発光することはない。また、ダイオード３６０ｂが発光されないと、フォトカプラを構成するフォトトランジスタ３６１ｂのコレクタ−エミッタの間は非導通であり当該フォトトランジスタはオフとなり、終端検出回路３６ｂは自増設親機の後段側に当該モニタ付増設親機が接続されていないと検出し、終端スイッチ回路３７ｂを構成するリレー３７０ｂは駆動せず、ゆえにリレースイッチ３７１ｂはオンとなることから、モニタ付増設親機３ｂの終端設定が自動で行われる。
【００３４】
上述までの動作説明によれば、各モニタ付増設親機３ａ、３ｂの終端検出回路３６ａ、３６ｂにて、それぞれ自増設親機の後段側に当該モニタ付増設親機が接続されているか否かを検出でき、接続が検出された場合には終端スイッチ回路３７ａ、３７ｂを構成するスイッチ３７０ａ、３７０ｂをオフとする、一方、接続が検出されなかった場合には上述のスイッチ３７０ａ、３７０ｂがオンとなるような終端設定を自動で行うことができ、カメラ付子機１のカメラ１０にて撮像された映像を各モニタ付増設親機３ａ、３ｂのモニタ３０ａ、３０ｂにそれぞれ出画させるにあたり、何れのモニタ３０ａ、３０ｂにおいても出画される映像を良好な映像で確保できる、例えば、ノイズ成分の少ない視認性の高い映像で確保できる。
【００３５】
なお、本発明の実施例によるテレビインターホン装置では、モニタ付親機２に順次縦接続される複数のモニタ付増設親機として、当該モニタ付増設親機が２台設けられた場合について説明したが、２台に限定されず、より複数のモニタ付増設親機をモニタ付親機２に順次縦接続させた場合でも、何れのモニタに出画される映像を良好な映像で確保できる、例えば、ノイズ成分の少ない視認性の高い映像で確保できる。
【図面の簡単な説明】
【００３６】
【図１】本発明の実施例によるテレビインターホン装置の構成を示すシステム説明図。
【図２】本発明の実施例によるテレビインターホン装置において、映像伝送系の具体的な構成を示す回路ブロック図。
【図３】従来例のテレビインターホン装置の構成を示すシステム説明図。
【符号の説明】
【００３７】
１……カメラ付子機
２……モニタ付親機
３ａ、３ｂ……複数のモニタ付増設親機
３６ａ、３６ｂ……終端検出回路
３６０ａ、３６０ｂ……（フォトカプラを構成する）ダイオード
３６１ｂ、３６１ｂ……（フォトカプラを構成する）フォトトランジスタ
３７ａ、３７ｂ……終端スイッチ回路
【図１】
2005217723.tif 000003
【図２】
2005217723.tif 000004
【図３】
2005217723.tif 000005